(57)【要約】【課題】ブラケットとフレームとを固定する固定ボルトを外デッキの上方から取り外しや取り付けを行うことで、外デッキ及びブラケットをフレームに対して同時に脱着できる乗客コンベアを提供する。【解決手段】この乗客コンベアの汎用例のエスカレータ１では、外デッキ１２をフレーム２に対して取り付けるためのブラケット１６について、上方が開放されて孔部を有する底面がフレーム２と対向する凹部１６ａを持たせる形状とし、外デッキ１２について、ブラケット１６の凹部１６ａと対向する位置に開口部１２ａを設けており、固定ボルト１７を開口部１２ａを介して凹部１６ａに位置させてその底面に形成された孔部を介してフレーム２に螺着することにより、外デッキ１２をフレーム２に固定する構造であり、固定ボルト１７を外デッキ１２の上方から取り外しや取り付けを行うことで、外デッキ１２及びブラケット１６をフレーム２に対して同時に脱着できる。【選択図】図３
2016155620.tif 000002
【特許請求の範囲】
【請求項１】
一方の床と他方の床との間に架設されるフレームと、前記フレーム内に収納されると共に、互いに連結されて乗降口間を循環して移動する複数のステップと、前記複数のステップの移動方向に沿って当該複数のステップの両側に立設される欄干パネルと、前記複数のステップの移動方向に沿って、前記欄干パネルの当該複数のステップとは反対側に配置された外デッキと、を備える乗客コンベアにおいて、
前記外デッキは、ブラケットに取り付けられ、
前記ブラケットは、上方が開放されると共に底面が前記フレームと対向するように形成された凹部と、前記凹部の前記底面に設けられた孔部と、を有し、
前記外デッキは、前記凹部と対向する位置に設けられた開口部を有し、
前記ブラケットは、前記開口部側から前記孔部に挿入された固定ボルトによって、前記フレームに取り付けられることを特徴とする乗客コンベア。
【請求項２】
請求項１に記載の乗客コンベアにおいて、
前記外デッキは、前記開口部を覆う蓋部材を備えたことを特徴とする乗客コンベア。
【請求項３】
請求項２に記載の乗客コンベアにおいて、
前記蓋部材は、前記外デッキと同一素材で形成されると共に、前記開口部に脱着可能に設けられることを特徴とする乗客コンベア。
【請求項４】
請求項２に記載の乗客コンベアにおいて、
前記蓋部材は、前記外デッキと異なる素材で形成されると共に、前記開口部に脱着可能に設けられることを特徴とする乗客コンベア。
【請求項５】
請求項２に記載の乗客コンベアにおいて、
前記蓋部材は、前記外デッキとは異なる色で着色されると共に、前記開口部に脱着可能に設けられることを特徴とする乗客コンベア。
【請求項６】
請求項２に記載の乗客コンベアにおいて、
前記ブラケットの前記凹部に設けられ、点灯する光源が配置されて成る光源装置を更に備え、前記蓋部材は、前記光源装置からの照射光を透過する素材で形成されると共に、前記開口部に脱着可能に設けられることを特徴とする乗客コンベア。
【発明の詳細な説明】
【技術分野】
【０００１】
本発明は、移動手摺（ハンドレール）が設けられる欄干（欄干パネル）の外側に複数並べて配備される外デッキの取り付け構造を改良した乗客コンベアに関する。
【背景技術】
【０００２】
一般に、エスカレータや動く歩道に代表される乗客コンベアは、一方の床と他方の床との間に架設されるフレームと、このフレーム内に収納されると共に、互いに連結されて乗降口間を循環して移動する複数のステップと、これらのステップの移動方向に沿って各ステップの両側に立設される欄干パネルと、各ステップの移動方向に沿って、欄干パネルの各ステップとは反対側に配置された外デッキと、各ステップの移動方向に沿って連続的に欄干パネルの下辺部から各ステップ近傍までを覆うように配設された内デッキと、を備え、内デッキから垂下するようにスカートガードが配置されて構成されている。
【０００３】
このような乗客コンベアにおける外デッキの取り付けは、一般にフレームに対してブラケットを介して固定ボルトにより固定することで取り付けられており、係る外デッキの取り付け構造に関連する周知技術として、欄干を改良した「乗客コンベアの欄干」（特許文献１参照）が挙げられる。
【先行技術文献】
【特許文献】
【０００４】
【特許文献１】特開昭５８−１３５０８９号公報
【発明の概要】
【発明が解決しようとする課題】
【０００５】
上述した特許文献１記載の技術では、形状が異なる外デッキ（第２図には単一な略平坦状のアウタデッキが示され、第４図には２つのデッキ板を組み合わせた段差状のアウタデッキが示されている）について、フレーム（ここではトラス上に配備される保持具が該当する）に対してそれぞれ形状が異なるブラケット（第２図には折り曲げ形状のものが示され、第４図には凹部を有する形状のものが示されている）を用いてボルトやビスにより固定する取り付け構造を採用している。
【０００６】
ところが、外デッキの取り外し作業時において、特許文献１記載の第２図に示される取り付け構造では、ビスを外してアウタデッキを取り外し、その後にブラケットを固定しているボルトを外してブラケットを取り外す必要があり、特許文献１記載の第４図に示される取り付け構造では、板ばねで押圧されているアウタデッキの一部のデッキ板を剥がしてボルトを露呈させてから外すことで板ばね及びアウタデッキの２つのデッキ板を取り外し、その後にブラケットを凹部の底面で固定しているボルトを外してブラケットを取り外す必要がある。また、外デッキの取り付け作業時においては、反対の手順で取り付けを行う必要があるため、外デッキの脱着に工数がかかるという課題がある。
【０００７】
本発明は、このような外デッキの脱着工数の低減を目的になされたもので、その技術的課題は、ブラケットとフレームとを固定する固定ボルトを外デッキの上方から取り外しや取り付けを行うことで、外デッキ及びブラケットをフレームに対して同時に脱着できる乗客コンベアを提供することにある。
【課題を解決するための手段】
【０００８】
上記技術的課題を解決するため、本発明は、一方の床と他方の床との間に架設されるフレームと、フレーム内に収納されると共に、互いに連結されて乗降口間を循環して移動する複数のステップと、複数のステップの移動方向に沿って当該複数のステップの両側に立設される欄干パネルと、複数のステップの移動方向に沿って、欄干パネルの当該複数のステップとは反対側に配置された外デッキと、を備える乗客コンベアにおいて、外デッキは、ブラケットに取り付けられ、ブラケットは、上方が開放されると共に底面がフレームと対向するように形成された凹部と、凹部の底面に設けられた孔部と、を有し、外デッキは、凹部と対向する位置に設けられた開口部を有し、ブラケットは、開口部側から孔部に挿入された固定ボルトによって、フレームに取り付けられることを特徴とする。
【発明の効果】
【０００９】
本発明によれば、上記構成により、ブラケットとフレームとを固定する固定ボルトを外デッキの上方から取り外しや取り付けを行うことで、外デッキ及びブラケットをフレームに対して同時に脱着することができ、外デッキを簡易に交換できるようになる。上記した以外の課題、構成及び効果は、以下の実施形態の説明により明らかにされる。
【図面の簡単な説明】
【００１０】
【図１】本発明の乗客コンベアの実施例に係るエスカレータの概略構成を示した側面図である。
【図２】図１中のＡ−Ａ線に沿った方向での欄干パネルの下部を一部垂直断面にして示した外デッキ及び内デッキを含む要部の断面図である。
【図３】図２中の外デッキを含む要部の拡大図である。
【図４】図３中に示される外デッキの細部構成を一部破断にして示した斜視図である。
【図５】図３中に示される外デッキの他例に係る細部構成を一部破断にして示した斜視図である。
【発明を実施するための形態】
【００１１】
以下、本発明の乗客コンベアについて、実施例を挙げ、図面を参照して詳細に説明する。
【実施例】
【００１２】
図１は、本発明の乗客コンベアの実施例に係るエスカレータ１の概略構成を示した側面図である。
【００１３】
図１を参照すれば、このエスカレータ１は、建築構造物の下階床Ｆ１と上階床Ｆ２との間に架設され、下階床Ｆ１に延在する下部水平部２ａ、上階床Ｆ２に延在する上部水平部２ｂ、下部水平部２ａ及び上部水平部２ｂの間に形成される傾斜部２ｃを有して成るフレーム２を備えており、このフレーム２には、構成部品として、例えば互いに連結されて乗降口間を循環して移動する複数のステップ３と、上階床Ｆ２に隣接する上部機械室４に設置される駆動機５と、駆動機５により駆動される上部スプロケット６と、下階床Ｆ１に隣接する下部機械室７に設置される下部スプロケット８と、上部スプロケット６及び下部スプロケット８に巻回されるステップチェーン９と、各ステップ３の移動方向に沿って各ステップ３の両側に立設される欄干パネル１１と、各ステップ３の移動方向に沿って、欄干パネル１１の各ステップ３とは反対側に配置された外デッキ１２と、が設置されている。
【００１４】
図２は、図１中のＡ−Ａ線に沿った方向での欄干パネル１１の下部を一部垂直断面にして示した外デッキ１２及び内デッキ２１を含む要部の断面図である。また、図３は、図２中の外デッキ１２を含む要部の拡大図である。
【００１５】
図２を参照すれば、欄干パネル１１の下部は、樹脂で成型される縁部材１３に嵌入された状態でフレーム２に形成されたＵ字部２ｄに配置されると共に、押圧ボルト１４及び押圧板１５によりＵ字部２ｄの内壁に押し付けられて固定されている。欄干パネル１１の内側には、ステップ３の移動方向に沿って連続的に配置されると共に、上部が縁部材１３に嵌め込まれ、下部がフレーム２に対してブラケット２０を介して取り付けられた状態で欄干パネル１１の下辺部からステップ３近傍までを覆う内デッキ２１と、上部がブラケット２０を介してフレーム２に取り付けられた状態で内デッキ２１から垂下するスカートガード２２と、が配置されている。
【００１６】
外デッキ１２は、図２及び図３を参照すれば、例えばステンレス鋼板で成型されており、ブラケット１６に取り付けられる。ブラケット１６は、上方が開放されると共に底面がフレーム２と対向するように形成された凹部１６ａと、凹部１６ａの底面に設けられた孔部と、を有する。また、外デッキ１２は、凹部１６ａと対向する位置に設けられた開口部１２ａを有する。ブラケット１６は、開口部１２ａ側から孔部に挿入された固定ボルト１７によって、フレーム２に取り付けられる。
【００１７】
外デッキ１２について、細部構造を具体的に云えば、底面に孔部が穿孔された凹部１６ａを有するブラケット１６の上部に嵌着されると共に、欄干パネル１１側がステップ３の移動方向に沿って縁部材１３に嵌め込まれた状態でブラケット１６の凹部１６ａの底面の孔部に挿入した固定ボルト１７をフレーム２に螺着させることにより、フレーム２へ固定するように取り付けられている。また、外デッキ１２には、ブラケット１６の凹部１６ａと対向する位置に円形の開口部１２ａがその長手方向に沿って複数形成されており、取り付けに際しては固定ボルト１７を開口部１２ａを介してブラケット１６の凹部１６ａに位置させた上、その孔部を通してフレーム２に対して螺着させる。
【００１８】
ブラケット１６自体は、図３を参照すれば、構造上において、上方が開放されると共に底面（上述した孔部が穿孔される）がフレーム２と対向する凹部１６ａと、凹部１６ａの上端から外側（欄干パネル１１と反対側）に向かって延設される外側水平部１６ｂと、凹部１６ａの上端から内側（欄干パネル１１側）に向かって延設される内側水平部１６ｃと、外側水平部１６ｂの端部から折り曲げられて延在し、外デッキ１２が嵌着される折り曲げ部１６ｄと、外側水平部１６ｂから垂下される脚部１６ｅと、を備えている。
【００１９】
ブラケット１６の凹部１６ａの中途箇所（中間高さ位置）には、固定ボルト１７による複数の外デッキ１２のフレーム２への固定後に略図する電源に接続されて電源供給を受けて点灯するＬＥＤ等の光源が回路基板に配置されて成る光源装置１８を略図する支持部材を用いて装着した状態で開口部１２ａに対して蓋部材１９ａを嵌め込むことにより、光源装置１８から蓋部材１９ａを照射する構造の蓋部材点灯部がステップ３の移動方向に沿って複数配置されている。即ち、ブラケット１６の凹部１６ａには、点灯する光源が配置されて成る光源装置１８が備えられている。
【００２０】
図４は、図３中に示される外デッキ１２の細部構成を一部破断にして示した斜視図である。
【００２１】
図４、並びに図２及び図３を参照すれば、外デッキ１２の開口部１２ａには蓋部材１９ａが嵌め込まれるが、ここでの蓋部材１９ａは開口部１２ａよりも若干小さな外径寸法を有しており、光源装置１８からの照射光を透過する素材（例えば樹脂）で成形されると共に、開口部１２ａに対して脱着可能に設けられる場合を例示できる。尚、光源装置１８は必ずしも必要な構成ではなく、光源装置１８を装備しなければ蓋部材１９ａを外デッキ１２と同一素材（ステンレス鋼板）として蓋部材１９ａを目立たなくさせて意匠性を保ったり、或いは逆に上述した樹脂以外の外デッキ１２と異なる素材（例えばプラスチック、ゴム等）としたり、更に外デッキ１２とは異なる色で着色されたものとして良く、何れの場合にも開口部１２ａに対して脱着可能に設けられるものとした上、意匠面を考慮して外デッキ１２の上面と蓋部材１９ａの上面とを略同一面となるようにすれば、外デッキ１２全体としてデザイン性を持たせて意匠性の向上を図ることができる。
【００２２】
図５は、図３中に示される外デッキ１２の他例（外デッキ１２′）に係る細部構成を一部破断にして示した斜視図である。
【００２３】
図５を参照すれば、この外デッキ１２′は、図４に示した外デッキ１２と比べ、開口部１２ｂの形状とこの開口部１２ｂを覆って装着される蓋部材１９ｂの形状とが相違しており、具体的には外デッキ１２の開口部１２ａ及び蓋部材１９ａは円形状であるのに対し、図５に示される外デッキ１２′は、ブラケット１６の外側水平部１６ｂ、内側水平部１６ｃに対向して載置されたときの隔たり空間で帯状の開口部１２ｂを形成するように一対の長尺片で別体構成され、その開口部１２ｂに装着される蓋部材１９ｂも長尺片となっている。こうした場合にも外デッキ１２′の各長尺片がブラケット１６の凹部１６ａ周囲の平坦面の外側水平部１６ｂ、内側水平部１６ｃでそれぞれ安定して支持され、長尺片の蓋部材１９ｂを嵌め込んだ後には構造的に安定してぐらつきを生じないため、実用上での問題はない。従って、このような帯状の開口部１２ｂを形成する長尺片の外デッキ１２′を長尺片の蓋部材１９ｂと組み合わせて代用させても良い。勿論、このような外デッキ１２′を長尺片の蓋部材１９ｂと組み合わせて代用する場合にも、使用環境が薄暗ければ、上述した蓋部材点灯部を配備することが実用上や意匠上において好ましい。
【００２４】
実施例に係るエスカレータ１において、複数の外デッキ１２、１２′の取り付け構造は、据え付け時の取り付けに際して、ブラケット１６の上部に外デッキ１２、１２′を嵌着させた状態で、ブラケット１６をフレーム２に載置すると共に、外デッキ１２、１２′の欄干パネル１１側を縁部材１３に嵌め込んだ後、固定ボルト１７を外デッキ１２、１２′の開口部１２ａ、１２ｂを介してブラケット１６の凹部１６ａに位置させ、凹部１６ａの底面に形成された孔部に挿入した固定ボルト１７をフレーム２に螺着する。このとき、外デッキ１２、１２′及びブラケット１６はフレーム２に対して同時に装着固定されることになる。この後、電源に接続される光源装置１８をブラケット１６の凹部１６ａにおける中間高さ位置（中途箇所）に略図する支持部材を用いて装着させてから、外デッキ１２、１２′の開口部１２ａ、１２ｂに蓋部材１９ａ、１９ｂを嵌め込むことで取り付け作業を完了する。また、据え付け後、何らかの理由で外デッキ１２、１２′に破損や変形が生じ、外デッキ１２、１２′を交換する必要が生じた場合には、欄干パネル１１の脱着を行わず、上述した場合と逆の手順で交換対象となる既設の外デッキ１２、１２′を取り外した後（この際、外デッキ１２、１２′及びブラケット１６はフレーム２から同時に外された脱状態となる）、交換用の新設する外デッキ１２、１２′を上述した場合と同様な手順で取り付ける。
【００２５】
実施例に係るエスカレータ１によれば、外デッキ１２、１２′をフレーム２に対して取り付けるためのブラケット１６については、上方が開放されて孔部を有する底面がフレーム２と対向する凹部１６ａを持たせる形状とし、外デッキ１２、１２′については、ブラケット１６の凹部１６ａと対向する位置に開口部１２ａ、１２ｂを設けており、固定ボルト１７を開口部１２ａ、１２ｂを介して凹部１６ａに位置させて凹部１６ａの底面に形成された孔部を介してフレーム２に螺着することにより、外デッキ１２、１２′をフレーム２に固定する固定ボルト１７をいわば外側留めとして取り付けを行う構造としている。係る構成によって、欄干パネル１１の取り外しを要することなく、外デッキ１２、１２′の取り外し作業時や取り付け作業時において、ブラケット１６とフレーム２とを固定する固定ボルト１７を外デッキ１２、１２′の上方から取り外しや取り付けを行うことで、外デッキ１２、１２′及びブラケット１６をフレーム２に対して同時に脱着することができ、外デッキ１２、１２′の脱着工数が低減され、外デッキ１２、１２′を簡易に交換できて作業効率の向上が図られるようになる。特に固定ボルト１７の位置を手探りではなく目視で確認して取り外しや取り付けを行うことができるため、作業時間が短縮される。また、外デッキ１２、１２′の開口部１２ａ、１２ｂを蓋部材１９ａ、１９ｂで覆うことにより、意匠性の低下を防ぐことができる。更に、ブラケット１６の凹部１６ａの中途箇所に光源装置１８を配置すると共に、開口部１２ａ、１２ｂを光源装置１８からの照射光を透過する素材で成形された蓋部材１９ａ、１９ｂで覆う構造とすることによって、外デッキ１２、１２′において蓋部材１９ａ、１９ｂを点灯（ライトアップ）する蓋部材点灯部を持たせているため、係る構造によっても意匠性の向上を図ることができる。
【００２６】
尚、上述した実施例では乗客コンベアの汎用例としてエスカレータ１について説明したが、実施例で説明した外デッキ１２、１２′の取り付け構造は複数のステップ３の中途箇所が階段状を成さずに平坦状態が維持される構造の動く歩道にも適用させることが可能である。また、実施例で説明した外デッキ１２、１２′における開口部１２ａ、１２ｂの形状は、種々変更することが可能である。このように、本発明の乗客コンベアは、様々な実施の形態として適用可能であるため、実施例で説明したエスカレータ１の形態に限定されない。
【符号の説明】
【００２７】
１  エスカレータ
２  フレーム
２ａ  下部水平部
２ｂ  上部水平部
２ｃ  傾斜部
２ｄ  Ｕ字部
３  ステップ（踏板）
４  上部機械室
５  駆動機
６  上部スプロケット
７  下部機械室
８  下部スプロケット
９  ステップチェーン
１０  ハンドレール
１１  欄干パネル
１２、１２′  外デッキ
１２ａ、１２ｂ  開口部
１３  縁部材
１４  押圧部材
１５  押圧板
１６、２０  ブラケット
１６ａ  凹部
１６ｂ  外側水平部
１６ｃ  内側水平部
１６ｄ  折り曲げ部
１６ｅ  脚部
１７  固定ボルト
１８  光源装置
１９ａ、１９ｂ  蓋部材
２１  内デッキ
２２  スカートガード
Ｆ１  下階床
Ｆ２  上階床
【図１】
2016155620.tif 000003
【図２】
2016155620.tif 000004
【図３】
2016155620.tif 000005
【図４】
2016155620.tif 000006
【図５】
2016155620.tif 000007